(57)【要約】【課題】製品安全性の向上を図ると共に部品コスト及び組立コストを抑えることができるチルトパネル及び記録装置を提供する。【解決手段】互いに異なる角度に設けられた複数のチルト歯４１のいずれか一つとレバー５０の先端部５１とを係止させることで所定角度に変位自在な操作パネル２０であって、係止位置と係止解除位置との間において先端部５１を回動させるレバー５０の回動軸５２を軸支する軸受部３２と、レバー５０に一体で設けられて、軸受部３２のエッジ部３３をカバーするカバー部材６０とを有するという構成を採用する。【選択図】図３
2011102949.tif 000002
【特許請求の範囲】
【請求項１】
互いに異なる角度に設けられた複数のチルト歯のいずれか一つとレバーの先端部とを係止させることで所定角度に変位自在なチルトパネルであって、
前記係止させる位置と前記係止を解除する位置との間において前記先端部を回動させる前記レバーの回動軸を軸支する軸受部と、
前記レバーに一体で設けられて、前記軸受部のエッジ部をカバーするカバー部材とを有することを特徴とするチルトパネル。
【請求項２】
前記カバー部材は、前記エッジ部に隣接する前記回動軸の端部が前記エッジ部よりも拡径した形状を有することを特徴とする請求項１に記載のチルトパネル。
【請求項３】
前記カバー部材は、レバー本体から前記回動軸に沿って延在して前記エッジ部を囲う形状を有することを特徴とする請求項１または２に記載のチルトパネル。
【請求項４】
前記カバー部材は、前記回動によりパネル本体と干渉する部位を欠切した形状を有することを特徴とする請求項１〜３のいずれか一項に記載のチルトパネル。
【請求項５】
請求項１〜４のいずれか一項に記載のチルトパネルを有することを特徴とする記録装置。
【発明の詳細な説明】
【技術分野】
【０００１】
本発明は、チルトパネル及び記録装置に関する。
【背景技術】
【０００２】
記録媒体に記録処理を実施する記録装置は、例えば記録ヘッドを備えてインクジェットによる記録処理を実施する形態や、感光体に静電潜像を形成し、トナー像を記録媒体に転写して記録処理を実施する形態等がある。
記録装置は、例えば下記特許文献１のように、所定の情報を表示する表示部や所定の情報を入力するボタン部を有する操作パネルを備えて、ユーザーが該操作パネルを操作することで記録処理に係る所望の設定や操作を行う。特許文献１に記載の操作パネルは、チルト機構を備えており、ユーザーが操作し易い任意の角度に変位させることが可能な構成となっている。
【先行技術文献】
【特許文献】
【０００３】
【特許文献１】特開２００７−８１２４８号公報
【発明の概要】
【発明が解決しようとする課題】
【０００４】
チルト機構の形態としては、特許文献１に記載のようにモータ等を用いて電動でパネルの角度を変位させる形態の他に、ラチェット機構等を用いて手動でパネルの角度を変位させる形態がある。この形態では、ユーザーがレバーを操作して、互いに異なる角度に設けられた複数のチルト歯のいずれか一つとレバーの先端部とを係止させることで、パネルの角度を変位させている。
ところで、このレバーの回動軸を軸支する軸受部は、部品コスト及び組立コストの関係でパネル本体と一体で成型される場合がある。しかし、この場合に、成型金型構造上、その継ぎ目の位置に軸受部が該当してしまうと、軸受部のエッジ部に角が立つ所謂シャープエッジになることがある。従来では、ユーザーがレバー操作時に、このエッジ部に触れないようにカバー部品を別途追加しているが、カバー部品の追加は、部品コスト及び組立コストが掛かるという問題がある。
【０００５】
本発明は、上記問題点に鑑みてなされたもので、製品安全性の向上を図ると共に部品コスト及び組立コストを抑えることができるチルトパネル及び記録装置を提供することを目的としている。
【課題を解決するための手段】
【０００６】
上記の課題を解決するために、本発明は、互いに異なる角度に設けられた複数のチルト歯のいずれか一つとレバーの先端部とを係止させることで所定角度に変位自在なチルトパネルであって、上記係止させる位置と上記係止を解除する位置との間において上記先端部を回動させる上記レバーの回動軸を軸支する軸受部と、上記レバーに一体で設けられて、上記軸受部のエッジ部をカバーするカバー部材とを有するという構成を採用する。
このような構成を採用することによって、本発明では、軸受部のエッジ部をカバーするカバー部材をレバーと一体とすることで、エッジ部へのユーザーのアクセスを防止し、部品コスト及び組立コストを抑える。
【０００７】
また、本発明においては、上記カバー部材は、上記エッジ部に隣接する上記回動軸の端部が上記エッジ部よりも拡径した形状を有するという構成を採用する。
このような構成を採用することによって、本発明では、エッジ部に隣接する回動軸の端部を一回り大きく形成することで、ユーザーのアクセスをその形状に積極的に受けさせて、エッジ部へのユーザーのアクセスを防止する。
【０００８】
また、本発明においては、上記カバー部材は、レバー本体から上記回動軸に沿って延在して上記エッジ部を囲う形状を有するという構成を採用する。
このような構成を採用することによって、本発明では、カバー部材を回動軸に沿って延在してエッジ部を囲う形状とすることで、エッジ部へのユーザーのアクセスを防止する。
【０００９】
また、本発明においては、上記カバー部材は、上記回動によりパネル本体と干渉する部位を欠切した形状を有するという構成を採用する。
このような構成を採用することによって、本発明では、レバーと一体で回動するカバー部材の一部を欠切させてパネル本体との干渉を防止する。
【００１０】
また、本発明においては、先に記載のチルトパネルを有する記録装置を採用する。
【図面の簡単な説明】
【００１１】
【図１】本発明の実施形態におけるインクジェットプリンターを示す斜視図である。
【図２】本発明の実施形態における操作パネルを右側面から視た構成図である。
【図３】本発明の実施形態における操作パネルの裏面の構成を示す斜視図である。
【図４】本発明の実施形態における操作パネルの裏面の構成を示す分解図である。
【図５】図３における矢視Ａ図である。
【図６】本発明の実施形態における操作パネルの作用を説明するための図である。
【図７】本発明の別実施形態における操作パネルの裏面の構成を示す斜視図である。
【発明を実施するための形態】
【００１２】
以下、本発明に係るチルトパネル及び記録装置の実施形態について、図を参照して説明する。なお、以下の説明に用いる各図面では、各部材を認識可能な大きさとするため、各部材の縮尺を適宜変更している。本実施形態では、本発明に係るチルトパネルを有する記録装置として、操作パネルを有するインクジェット式プリンター（以下、インクジェットプリンターと称する）を例示する。
【００１３】
図１は、本発明の実施形態におけるインクジェットプリンター１を示す斜視図である。
インクジェットプリンター１は、記録用紙（記録媒体）をスタックするスタック部１０と、ユーザーが所定の情報を入力する操作パネル２０とを有する。
【００１４】
スタック部１０は、ハウジング２に形成された取出口３において、給紙トレイ１１上に排紙トレイ１２が設けられる構成となっている。給紙トレイ１１は、記録用紙の取出方向下流側（装置手前側）に引き出し可能な構成となっている。
操作パネル２０は、スタック部１０の上部に設けられており、ハウジング２と同一面を形成する基準角度から所定の角度へと変位可能なチルト機構（後述）を備える。
【００１５】
インクジェットプリンター１は、操作パネル２０から指令が入力されると、給紙トレイ１１にスタックされている記録用紙を一枚ずつピックアップして、ハウジング２内に配置された不図示の記録ヘッドを走査させ、記録用紙にインクを噴射し、文字や画像等の所望の情報を記録する記録処理を実施する。記録処理を経た記録用紙は、給紙トレイ１１上に配置された排紙トレイ１２上に排紙されてスタックされる。
【００１６】
次に、図２を参照して、本実施形態の操作パネル２０のチルト機構について説明する。
図２は、本発明の実施形態における操作パネル２０を右側面から視た構成図である。
図に示すように、操作パネル２０は、手動でパネルの角度を変位させるラチェット形態のチルト機構を有している。操作パネル２０は、パネル本体３０と、チルト歯ユニット４０と、レバー５０とを有する。操作パネル２０は、チルト歯ユニット４０のチルト歯４１と、レバー５０の先端部５１とを係止させることで、所定角度に変位自在な構成となっている。
【００１７】
パネル本体３０の表面３０ａには、表示部及びボタン部が設けられる（図１参照）。パネル本体３０は、その両側面から突出して設けられた回動軸３１を有する。回動軸３１は、ハウジング２に固定された軸受に軸支されており、パネル本体３０は、この回動軸３１を通る軸周りに変位自在な構成となっている。
チルト歯ユニット４０は、パネル本体３０の裏面３０ｂ側に配置されてパネル本体３０と独立してハウジング２に固定されている。チルト歯ユニット４０は、回動軸３１を中心とした基準円に沿って設けられて互いに異なる角度に配置される複数のチルト歯４１を有する。
【００１８】
チルト歯４１は、歯を傾けたラック形状となっており、上面４１ａ側では、パネル本体３０を時計回りに回動させる力が加わった時に、レバー５０の先端部５１が容易に乗り越えられるような傾斜となっており、一方の下面４１ｂ側では、パネル本体３０を反時計回りに回動させる力が加わった時に、レバー５０の先端部５１の歯の乗り越えを防止するような傾斜となっている。
【００１９】
レバー５０は、パネル本体３０の裏面３０ｂ側に配置されてパネル本体３０と一体的に変位可能な構成となっている。レバー５０は、その先端部５１をチルト歯４１のいずれか一つと係止させる係止位置と、該係止を解除する係止解除位置との間において回動させる回動軸５２を有する。回動軸５２は、パネル本体３０の裏面３０ｂに設けられた軸受部３２に軸支されている。このレバー５０は、先端部５１が不図示のバネ部材によって裏面３０ｂに向かって付勢されており、回動軸５２を挟んで先端部５１と逆側の取手部５４をユーザーが操作することで、先端部５１とチルト歯４１との係止／係止解除が可能な構成となっている。
【００２０】
次に、図３〜図６を参照して、本実施形態のレバー５０の回動軸５２及び回動軸５２を軸支する軸受部３２について説明する。
図３は、本発明の実施形態における操作パネル２０の裏面の構成を示す斜視図である。
図４は、本発明の実施形態における操作パネル２０の裏面の構成を示す分解図である。
図５は、図３における矢視Ａ図である。
図６は、本発明の実施形態における操作パネル２０の作用を説明するための図である。
【００２１】
図３及び図４に示すように、レバー５０の回動軸５２は、対となった第１軸受部３２Ａ及び第２軸受部３２Ｂに軸支される構成となっている。
第１軸受部３２Ａは、回動軸５２の一端部を挟み込んで軸支する二股形状を有している。また、第２軸受部３２Ｂは、回動軸５２の他端部を抱え込んで軸支する袋形状を有している。回動軸５２の一端部は、第１軸受部３２Ａに入り込むために幅が狭くなった胴部５２ａを有している。レバー５０は、回動軸５２の胴部５２ａと第１軸受部３２Ａとを位置合せして嵌め込んだ後、軸方向にスライドさせて回動軸５２の他端部と第２軸受部３２Ｂとを嵌め込むことで組み付けられる。
【００２２】
この第１軸受部３２Ａ及び第２軸受部３２Ｂは、パネル本体３０と一体で成型されている。本実施形態では、成型金型の継ぎ目の位置に、第１軸受部３２Ａの側面３２ａが該当しており、側面３２ａと他の面３２ｂとが接する縁に沿って、シャープエッジのエッジ部３３が形成されている。
レバー５０は、エッジ部３３へのユーザーのアクセスを防止するカバー部材６０を有する。カバー部材６０は、レバー５０のエッジ部３３に隣接する回動軸５２の端部に一体で成型されている。カバー部材６０は、レバー５０の組付け後には、側面３２ａに隣接して配置される。
【００２３】
本実施形態のカバー部材６０は、図５に示すように、エッジ部３３に隣接する回動軸５２の端部がエッジ部３３よりも拡径した形状となっている。また、本実施形態では、レバー５０と一体で回動するカバー部材６０の一部を欠切させてパネル本体３０との干渉を防止するべく、第１軸受部３２Ａのエッジ部３３に隣接して、そのエッジ部３３よりも一回り大きな鈍角円形状（略扇形状）となっている。このカバー部材６０は、図６に示すように、エッジが立たないように成型されている。レバー５０はパネル本体３０と比べて部品の大きさが小さく、成型金型にカバー部材６０の形状を追加したとしても、パネル本体３０の大型の成型金型を変更するよりも金型製作コストを抑えることができる。
【００２４】
図６に示すように、第１軸受部３２Ａのエッジ部３３に対して、ユーザーが痛みを感じるのは、矢印Ｘで示す斜め方向（側面３２ａと他の面３２ｂが交差する交差角度の半分の角度に沿った方向）からアクセスした場合である。なお、矢印Ｙで示す真上方向からアクセスした場合は、痛みを感じることはない。
カバー部材６０は、矢印Ｘで示す斜め方向からのエッジ部３３へのアクセスを遮断する位置まで拡径している。したがって、ユーザーの指がエッジ部３３に対して痛みを感じる角度で近づいても、カバー部材６０の鈍角形状に触れることしかできず、斜め方向からのシャープエッジへの接触が不可となる。すなわち、本実施形態では、エッジ部３３に隣接する回動軸５２の端部を一回り大きく形成することで、ユーザーのアクセスをその形状に積極的に受けさせて、エッジ部３３へのユーザーのアクセスを防止する。また、本実施形態では、エッジ部３３をカバーするカバー部材６０を、エッジ部３３に隣接する回動軸５２に一体で設けることで、シャープエッジ対策のためだけに部品を追加することなく、エッジ部３３をカバーすることができる。
【００２５】
上述のように、本実施形態では、互いに異なる角度に設けられた複数のチルト歯４１のいずれか一つとレバー５０の先端部５１とを係止させることで所定角度に変位自在な操作パネル２０であって、係止位置と係止解除位置との間において先端部５１を回動させるレバー５０の回動軸５２を軸支する軸受部３２と、レバー５０に一体で設けられて、軸受部３２のエッジ部３３をカバーするカバー部材６０とを有するという構成を採用することによって、エッジ部３３へのユーザーのアクセスを防止し、部品コスト及び組立コストを抑えることができる。
したがって、本実施形態によれば、製品安全性の向上を図ると共に部品コスト及び組立コストを抑えることができる操作パネル２０及びそれを備えるインクジェットプリンター１が得られる。
【００２６】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００２７】
例えば、上述の実施形態においては、カバー部材６０は、回動軸５２を拡径した形状であると説明したが、本発明はこの構成に限定されるものではなく、例えば、図７に示す別実施形態のように、レバー５０本体から回動軸５２に沿って延在してエッジ部３３を囲う断面視円弧形状（略瓦形状）であってもよい。
【００２８】
また、例えば、上述の実施形態においては、軸受部３２は、互いに形状の異なる第１軸受部３２Ａと第２軸受部３２Ｂとで構成されると説明したが、カバー部材６０の形状が回動軸５２を拡径した形状であれば第２軸受部３２Ｂの機能であるレバー５０の軸方向のストッパーの代替となるため、複雑な金型が必要となる袋形状の第２軸受部３２Ｂを、第２軸受部３２Ｂに比べて成型が容易な第１軸受部３２Ａと同一の形状に変更することも可能である。
【００２９】
また、例えば、上述の実施形態においては、記録装置がインクジェットプリンター１である場合を例にして説明したが、インクジェットプリンターに限られず、複写機及びファクシミリ等の装置であってもよい。
【符号の説明】
【００３０】
１…インクジェットプリンター（記録装置）、２０…操作パネル（チルトパネル）、３０…パネル本体、３２…軸受部、３２Ａ…第１軸受部、３２Ｂ…第２軸受部、３２ａ…側面、３３…エッジ部、４０…チルト歯ユニット、４１…チルト歯、５０…レバー、５１…先端部、５２…回動軸、６０…カバー部材
【図１】
2011102949.tif 000003
【図２】
2011102949.tif 000004
【図３】
2011102949.tif 000005
【図４】
2011102949.tif 000006
【図５】
2011102949.tif 000007
【図６】
2011102949.tif 000008
【図７】
2011102949.tif 000009